(57)【要約】      （修正有）【課題】カウント用のパルス発生器を提供する。【解決手段】円盤などを円盤の軸中心に回転させ、その円盤に光を遮るか通す部分を作り、その部分を感知して、集積回路へ入力可能なパルス信号を、コンデンサとトランジスタを組み合わせた増幅・波形整形回路によって生成し、生成されたパルス信号を上記集積回路へ入力して、カウントする。【選択図】図１
0003197194.tif 000002
【実用新案登録請求の範囲】
【請求項１】
１．円盤（１１）を挟むように、２．片方は正極（６）、３．もう片方は負極（５）に繋がれた常に光を発する素子（２）と、４．片方は正極（６）、５．もう片方は光を受けた後に電圧が発生する導線（１６）と繋がれた光を受ける素子（４）が設置されていて、６．光を受けた（４）後に電圧が発生する導線（１６）は、７．片方が負極（５）に繋がれた抵抗（１）と、８．接点（１７）で繋がっていて、９．この接点（１７）はコンデンサー（３）の片方と繋がっている。１０．さらに、１１．コンデンサー（３）のもう片方は、１２．片方が負極（５）に繋がれた抵抗（１）と、１３．抵抗（１）を介してトランジスター（７）のベースと片方が負極（５）に繋がれた抵抗（１）と繋がっている。１４．トランジスター（７）のコレクターは抵抗（１）を介して正極（６）と繋がっていて、１５．トランジスター（７）のエミッターは抵抗（１）を介して負極（５）と繋がっている。１６．また、１７．トランジスター（７）のコレクターからは、１８．導線の部分（１８）を通り、１９．抵抗（１）を介してトランジスター（８）のベースと片方が負極（５）に繋がれた抵抗（１）と繋がっている。２０．トランジスター（８）のコレクターは抵抗（１）を介して正極（６）と繋がっていて、２１．トランジスター（８）のエミッターは抵抗（１）を介して負極（５）と繋がっている。２２．この様な構成から成り、２３．トランジスター（８）のコレクターからは、２４．集積回路（１０）に繋がる導線（１９）が存在する装置。
【考案の詳細な説明】
【技術分野】
【０００１】  本発明は、数を数える為のパルス発生器に関する技術に属する。
【背景技術】
【０００２】  電気的電子的パルスを発生させる為には、何らかの電圧的変化か電流的変化が必要である。
【先行技術文献】
【特許文献】
【０００３】
【特許文献１】  特許公開（特許公開２０１４−０８７０４０）
【特許文献２】  特許公開（特許公開２０１３−１１８６０２）
【考案の概要】
【考案が解決しようとする課題】
【０００４】  高電力に耐える為に、集積回路と分離された、パルス発生器部の開発。【０００５】  単体のトランジスターで、パルス発生が可能であれば、簡単に耐圧な発信装置が作れる。
【課題を解決するための手段】
【０００６】  コンデンサー（３）（特許公開２０１４−０８７０４０）に電圧を掛け、その放電により発生した電流、または、電圧を（特許公開２０１３−１１８６０２）、トランジスターを使って、増幅する。【０００７】  つまり、特許公開２０１４−０８７０４０で吟味されたコンデンサーの性質と特許公開２０１３−１１８６０２で考察されたトランジスターの組み合わせを、組み合わせる事で、単パルスを発生させる事が出来る様になり、課題を解決した（図１）。
【考案の効果】
【０００８】  フォトインタプタの様な装置や、特定の波長の光（２）に感じて電流を通す素子（４）、また、特定の波長の光（２）に感じて電圧を発生する素子（４）により得られた電圧を、トランジスターで増幅、整形することで、パルスが得られ（２０）（９）、集積回路（１０）に、そのパルス（２０）（９）を処理させる。
【図面の簡単な説明】
【０００９】
【図１】  考案の回路図。
【００１０】
【図２】  上から見た、光を遮断する円盤。
【００１１】
【図３】  液晶表示器（２１）が表示している様子。
【００１２】
【図４】  導線（１９）から出るパルスの様子、０Ｖはゼロボルトの意。
【００１３】
【図５】  導線の部分（１８）から出るパルスの様子、０Ｖはゼロボルトの意。
【考案を実施するための形態】
【００１４】  図１の回路から発生したパルス（９）を、集積回路（１０）に入力して、解読可能な文字への変換を行った後、その文字を表示装置（２１）などで表示して、意味のある情報とする。
【実施例】
【００１５】  図２の様な円形の円盤（１１）の端に、穴（１２）または、突起（１４）を設け、その様な円盤を軸（１３）で回転させる事で、光（１５）を遮る部分を一定間隔で作り、その光（１５）の遮りを、光感知部分（４）が感知する事で、一回の感知で本考案がパルス（９）を一個だけ発生させ、このパルス（９）を集積回路（１０）へ送って、送られたパルス（９）の数を液晶表示器（２１）で表示する。
【産業上の利用可能性】
【００１６】  ３ボルトや５ボルト位では、電波（本考案は、パルスの頂点の幅は約１マイクロメーター以上）の発生も小さいので、実験でよく使われる撹拌装置類の撹拌回数のカウントの為の電子回路に組み込む事で、撹拌量を明確化できる。【００１７】            １．抵抗（０オーム以上）
２．光発生素子（電圧などで光を発生）
３．コンデンサー
４．光受光素子（光を感じて電圧を発生）
５．０ボルトの地点、負極
６．回路に電圧を掛けるところ、正極
７．トランジスター
８．トランジスター
９．本考案が作ったパルスの出力部
１０．集積回路
１１．円盤
１２．１１の表と裏を突いた穴
１３．円盤の回転軸
１４．円盤に付いた突起
１５．光（特定の波長などの光）
１６．導線
１７．接続部
１８．部品と部品の間の導線のある部分
１９．導線
２０．本考案が作ったパルス
２１．液晶表示器
【図１】
0003197194.tif 000003
【図２】
0003197194.tif 000004
【図３】
0003197194.tif 000005
【図４】
0003197194.tif 000006
【図５】
0003197194.tif 000007
【手続補正書】
【提出日】平成27年2月8日(2015.2.8)
【手続補正１】
【補正対象書類名】実用新案登録請求の範囲
【補正対象項目名】全文
【補正方法】変更
【補正の内容】
【実用新案登録請求の範囲】
【請求項１】
１．円盤（１１）を挟むように、２．片方は正極（６）、３．もう片方は負極（５）に繋がれた常に光を発する素子（２）と、４．片方は正極（６）、５．もう片方は光を受けた後に電圧が発生する導線（１６）と繋がれた光を受ける素子（４）が設置されていて、６．光を受けた（４）後に電圧が発生する導線（１６）は、７．片方が負極（５）に繋がれた抵抗（１）と、８．接点（１７）で繋がっていて、９．この接点（１７）はコンデンサー（３）の片方と繋がって、１０．さらに、１１．コンデンサー（３）のもう片方は、１２．片方が負極（５）に繋がれた抵抗（１）と、１３．抵抗（１）を介してトランジスター（７）のベースと片方が負極（５）に繋がれた抵抗（１）と繋がっており、１４．トランジスター（７）のコレクターは抵抗（１）を介して正極（６）と繋がっていて、１５．トランジスター（７）のエミッターは抵抗（１）を介して負極（５）と繋がっており、１６．また、１７．トランジスター（７）のコレクターからは、１８．導線の部分（１８）を通り、１９．抵抗（１）を介してトランジスター（８）のベースと片方が負極（５）に繋がれた抵抗（１）と繋がっており、２０．トランジスター（８）のコレクターは抵抗（１）を介して正極（６）と繋がっていて、２１．トランジスター（８）のエミッターは抵抗（１）を介して負極（５）と繋がっており、２２．この様な構成から成り、２３．トランジスター（８）のコレクターからは、２４．集積回路（１０）に繋がる導線（１９）が存在するパルス発生器。